(57)【要約】【課題】  ユーザ端末が接続するネットワークドメインの切り替え時間の短縮を図ることを可能とする通信制御方法及び通信制御装置を提供する。【解決手段】  ユーザ端末１０ａとユーザ端末１０ｂとの間でユーザの通信情報の通信が行われ、ユーザ端末１０ｂがユーザ端末１０ａに送信するユーザの通信情報の宛先情報（例えば、ホストアドレス）が異なる複数のネットワークドメインを含む通信システムにおいて、Ｕ−ＰＬＡＮＥを切り替える通信制御方法が、Ｕ−ＰＬＡＮＥを識別するルーティングアドレスをＵ−ＰＬＡＮＥに割り当てるステップと、ルーティングアドレスをユーザ端末１０ｂに通知するステップと、ユーザ端末１０ｂがルーティングアドレスを宛先情報として用いてユーザの通信情報を送信するステップとを含む。【選択図】図５
2008028663.tif 000002
【特許請求の範囲】
【請求項１】
一のユーザ端末と他のユーザ端末との間でユーザの通信情報の通信が行われ、前記他のユーザ端末が前記一のユーザ端末に送信する前記ユーザの通信情報の宛先情報が異なる複数のネットワークドメインを含む通信システムにおいて、前記ユーザの通信情報の通信経路を切り替える通信制御方法であって、
前記ユーザの通信情報の通信経路を識別する経路識別情報を前記ユーザの通信情報の通信経路に割り当てるステップと、
前記経路識別情報を前記他のユーザ端末に通知するステップと、
前記他のユーザ端末が前記経路識別情報を前記宛先情報として用いて前記ユーザの通信情報を送信するステップとを含むことを特徴とする通信制御方法。
【請求項２】
一のネットワークドメインに前記一のユーザ端末が接続する場合に、前記一のネットワークドメイン内で用いられる前記宛先情報である一の宛先情報と前記経路識別情報とを対応付けるステップと、
前記経路識別情報が前記宛先情報として用いられた前記ユーザの通信情報を前記他のユーザ端末から受信した場合に、前記ユーザの通信情報の種別に基づいて前記宛先情報の変更が必要であるか否かを判定するステップと、
前記宛先情報の変更が必要であると判定された場合に、前記宛先情報を前記経路識別情報から前記一の宛先情報に変更して、前記ユーザの通信情報を転送するステップとをさらに含むことを特徴とする請求項１に記載の通信制御方法。
【請求項３】
前記一のユーザ端末が接続する前記ネットワークドメインが前記一のネットワークドメインから他のネットワークドメインに切り替えられる場合に、前記他のネットワークドメイン内で用いられる前記宛先情報である他の宛先情報と前記経路識別情報とを対応付けるステップと、
前記宛先情報の変更が必要であると判定された場合に、前記宛先情報を前記経路識別情報から前記他の宛先情報に変更して、前記ユーザの通信情報を転送するステップとをさらに含むことを特徴とする請求項２に記載の通信制御方法。
【請求項４】
前記ユーザの通信情報の通信経路の切り替えを指示する切替指示を受付けるステップをさらに含み、
前記前記宛先情報の変更が必要であるか否かを判定するステップは、前記切替指示が受付けられた場合に行われることを特徴とする請求項２又は請求項３に記載の通信制御方法。
【請求項５】
一のユーザ端末と他のユーザ端末との間でユーザの通信情報の通信が行われ、前記他のユーザ端末が前記一のユーザ端末に送信する前記ユーザの通信情報の宛先情報が異なる複数のネットワークドメインを含む通信システムにおいて、前記ユーザの通信情報の通信経路上に設けられた通信制御装置であって、
前記ユーザの通信情報の通信経路を識別する経路識別情報を前記ユーザの通信情報の通信経路に割り当てる識別情報割当部と、
前記識別情報割当部によって割り当てられた前記経路識別情報を前記他のユーザ端末に通知する通知部とを備え、
前記経路識別情報は、前記他のユーザ端末が前記ユーザの通信情報を送信する際に前記宛先情報として用いられることを特徴とする通信制御装置。
【請求項６】
一のネットワークドメインに前記一のユーザ端末が接続する場合に、前記一のネットワークドメイン内で用いられる前記宛先情報である一の宛先情報と前記経路識別情報とを対応付けて記憶する記憶部と、
前記経路識別情報が前記宛先情報として用いられた前記ユーザの通信情報を前記他のユーザ端末から受信した場合に、前記ユーザの通信情報の種別に基づいて前記宛先情報の変更が必要であるか否かを判定する判定部と、
前記宛先情報の変更が必要であると判定された場合に、前記宛先情報を前記経路識別情報から前記一の宛先情報に変更して、前記ユーザの通信情報を転送する転送部をさらに備えることを特徴とする請求項５に記載の通信制御装置。
【請求項７】
前記記憶部は、前記一のユーザ端末が接続する前記ネットワークドメインが前記一のネットワークドメインから他のネットワークドメインに切り替えられる場合に、前記他のネットワークドメイン内で用いられる前記宛先情報である他の宛先情報と前記経路識別情報とを対応付けて記憶し、
前記転送部は、前記宛先情報の変更が必要であると判定された場合に、前記宛先情報を前記経路識別情報から前記他の宛先情報に変更して、前記ユーザの通信情報を転送することを特徴とする請求項６に記載の通信制御装置。
【請求項８】
前記ユーザの通信情報の通信経路の切り替えを指示する切替指示を受付ける受付部をさらに備え、
前記判定部は、前記切替指示を受付けた場合に、前記宛先情報の変更が必要であるか否かを判定することを特徴とする請求項６又は請求項７に記載の通信制御装置。
【発明の詳細な説明】
【技術分野】
【０００１】
一のユーザ端末と他のユーザ端末との間でユーザの通信情報の通信が行われ、前記他のユーザ端末が前記一のユーザ端末に送信するユーザの通信情報の宛先情報が異なる複数のネットワークドメインを含む通信システムにおいて用いられる通信制御方法及び通信制御装置に関する。
【背景技術】
【０００２】
従来、ＳＩＰ（Ｓｅｓｓｉｏｎ  Ｉｎｉｔｉａｔｉｏｎ  Ｐｒｏｔｏｃｏｌ）などを用いてユーザ端末間でユーザの通信情報（音声など）の通信を行うことが可能な通信システムが知られている。
【０００３】
また、ＣＳ（Ｃｉｒｃｕｉｔ  Ｓｗｉｃｈｅｄ）ドメインとＩＭＳ（ＩＰ  Ｍｕｌｔｉｍｅｄｉａ  Ｓｕｂｓｙｓｔｅｍ）ドメインとの間で、ユーザ端末が接続するドメインが切り替えられた場合であっても、ユーザの通信情報（音声など）の通信の継続を可能とするアプリケーション（Ｖｏｉｃｅ  Ｃａｌｌ  Ｃｏｎｔｉｎｕｉｔｙ  Ａｐｐｌｉｃａｔｉｏｎ；以下、ＶＣＣアプリケーション）も提案されている（例えば、非特許文献１）。
【０００４】
具体的には、ＶＣＣアプリケーションは、ユーザ端末が接続するドメインが切り替えられると、呼制御などに用いられる制御情報の経路である制御プレーン経路を切り替える。一方で、音声などのユーザの通信情報の経路であるユーザプレーン経路は、通信を行っている複数のユーザ端末によってＥｎｄ−ｔｏ―Ｅｎｄで切り替えられる。
【０００５】
例えば、一のユーザ端末がＣＳドメインに接続されている場合には、他のユーザ端末が一のユーザ端末に送信するユーザの通信情報の宛先情報は、ユーザの通信情報を転送するベアラの制御などを行うＭＧＷ（Ｍｅｄｉａ  Ｇａｔｅｗａｙ）を識別する情報（例えば、ＭＧＷのＩＰアドレス）である。一方で、一のユーザ端末がＩＭＳドメインに接続されている場合には、他のユーザ端末が一のユーザ端末に送信するユーザの通信情報の宛先情報は、一のユーザ端末を識別する情報（例えば、一のユーザ端末のＩＰアドレス）である。
【非特許文献１】３ＧＰＰ  ＴＳ２３．２０６  Ｖ０．５．１  “Ｖｏｉｃｅ  Ｃａｌｌ  Ｃｏｎｔｉｍｕｉｔｙ  ｂｅｔｗｅｅｎ  ＣＳ  ａｎｄ  ＩＭＳ”
【発明の開示】
【発明が解決しようとする課題】
【０００６】
上述したように、他のユーザ端末が一のユーザ端末に送信するユーザの通信情報の宛先は、ネットワークドメイン毎に異なる。
【０００７】
従って、例えば、一のユーザ端末が接続するドメインがＣＳドメインからＩＭＳドメインに切り替えられた場合には、ＩＭＳドメイン内におけるユーザの通信情報の宛先情報（一のユーザ端末を識別する情報）を他のユーザ端末に通知する必要が生じる。
【０００８】
一方で、一のユーザ端末が接続するドメインがＩＭＳドメインからＣＳドメインに切り替えられた場合には、ＣＳドメイン内におけるユーザの通信情報の宛先情報（ＭＧＷを識別する情報）を他のユーザ端末に通知する必要が生じる。
【０００９】
ここで、例えば、他のユーザ端末が海外に位置しているような場合には、各ネットワークドメイン内におけるユーザの通信情報の宛先情報を他のユーザ端末に通知するために必要な時間が長くなってしまう。その結果、一のユーザ端末が接続するネットワークドメインの切り替え時間が長くなって、ユーザの通信情報の通信が途切れたり、切断されたりする可能性があった。
【００１０】
また、一のユーザ端末に送信されるユーザの通信情報の宛先情報が他のユーザ端末に通知されるため、一のユーザ端末の位置が他のユーザ端末に把握されてしまって、“Ｌｏｃａｔｉｏｎ  Ｐｒｉｖａｃｙ”が害される。
【００１１】
そこで、本発明は、上述した状況に鑑みてなされたものであり、ユーザ端末が接続するネットワークドメインの切り替え時間の短縮を図るとともに、“Ｌｏｃａｔｉｏｎ  Ｐｒｉｖａｃｙ”を確保することを可能とする通信制御方法及び通信制御装置を提供することを目的とする。
【課題を解決するための手段】
【００１２】
本発明の一の特徴は、一のユーザ端末（ユーザ端末１０ａ）と他のユーザ端末（ユーザ端末１０ｂ）との間でユーザの通信情報の通信が行われ、前記他のユーザ端末が前記一のユーザ端末に送信する前記ユーザの通信情報の宛先情報（例えば、ホストアドレス）が異なる複数のネットワークドメインを含む通信システムにおいて、前記ユーザの通信情報の通信経路を切り替える通信制御方法が、前記ユーザの通信情報の通信経路（Ｕ−ＰＬＡＮＥ）を識別する経路識別情報（ルーティングアドレス）を前記ユーザの通信情報の通信経路に割り当てるステップと、前記経路識別情報を前記他のユーザ端末に通知するステップと、前記他のユーザ端末が前記経路識別情報を前記宛先情報として用いて前記ユーザの通信情報を送信するステップとを含むことを要旨とする。
【００１３】
かかる特徴によれば、ユーザの通信情報の通信経路を識別する経路識別情報がユーザの通信情報の通信経路に割り当てられて、他のユーザ端末が経路識別情報を宛先情報として用いてユーザの通信情報を送信することによって、一のユーザ端末が接続するネットワークドメインが切り替えられた場合であっても、一のユーザ端末が接続するネットワークドメイン内で宛先情報として用いられる一のユーザ端末の識別情報を他のユーザ端末に通知する必要がなくなる。従って、一のユーザ端末が接続するネットワークドメインの切り替え時間の短縮を図るとともに、“Ｌｏｃａｔｉｏｎ  Ｐｒｉｖａｃｙ”を確保することができる。
【００１４】
すなわち、一のユーザ端末の識別情報を他のユーザ端末に通知する必要がなく、一のユーザ端末が接続するネットワークドメインの切替制御に他のユーザ端末が関与しないため、一のユーザ端末が接続するネットワークドメインの切り替え時間の短縮を図るとともに、“Ｌｏｃａｔｉｏｎ  Ｐｒｉｖａｃｙ”を確保することができる。
【００１５】
本発明の一の特徴は、本発明の上述した特徴において、一のネットワークドメイン（ＷＬＡＮドメイン１００又はＣＳドメイン２００）に前記一のユーザ端末が接続する場合に、前記一のネットワークドメイン内で用いられる前記宛先情報である一の宛先情報（ＷＬＡＮ用ホストアドレス又はＣＳ用ホストアドレス）と前記経路識別情報（ルーティングアドレス）とを対応付けるステップと、前記経路識別情報が前記宛先情報として用いられた前記ユーザの通信情報を前記他のユーザ端末から受信した場合に、前記ユーザの通信情報の種別に基づいて前記宛先情報の変更が必要であるか否かを判定するステップと、前記宛先情報の変更が必要であると判定された場合に、前記宛先情報を前記経路識別情報から前記一の宛先情報に変更して、前記ユーザの通信情報を転送するステップとを通信制御方法がさらに含むことを要旨とする。
【００１６】
本発明の一の特徴は、本発明の上述した特徴において、前記一のユーザ端末が接続する前記ネットワークドメインが前記一のネットワークドメインから他のネットワークドメイン（ＣＳドメイン２００又はＷＬＡＮドメイン１００）に切り替えられる場合に、前記他のネットワークドメイン内で用いられる前記宛先情報である他の宛先情報（ＣＳ用ホストアドレス又はＷＬＡＮ用ホストアドレス）と前記経路識別情報とを対応付けるステップと、前記宛先情報の変更が必要であると判定された場合に、前記宛先情報を前記経路識別情報から前記他の宛先情報に変更して、前記ユーザの通信情報を転送するステップとを通信制御方法がさらに含むことを要旨とする。
【００１７】
本発明の一の特徴は、本発明の上述した特徴において、前記ユーザの通信情報の通信経路の切り替えを指示する切替指示を受付けるステップを通信制御方法がさらに含み、前記前記宛先情報の変更が必要であるか否かを判定するステップが、前記切替指示が受付けられた場合に行われることを要旨とする。
【００１８】
本発明の一の特徴は、一のユーザ端末（ユーザ端末１０ａ）と他のユーザ端末（ユーザ端末１０ｂ）との間でユーザの通信情報の通信が行われ、前記他のユーザ端末が前記一のユーザ端末に送信する前記ユーザの通信情報の宛先情報が異なる複数のネットワークドメインを含む通信システムにおいて、前記ユーザの通信情報の通信経路（Ｕ−ＰＬＡＮＥ）上に設けられた通信制御装置（ＩＡＳＡ５０）であって、前記ユーザの通信情報の通信経路を識別する経路識別情報（ルーティングアドレス）を前記ユーザの通信情報の通信経路に割り当てる識別情報割当部（アドレス割当部５２）と、前記識別情報割当部によって割り当てられた前記経路識別情報を前記他のユーザ端末に通知する通知部（通信部５１）とを備え、前記経路識別情報が、前記他のユーザ端末が前記ユーザの通信情報を送信する際に前記宛先情報として用いられることを要旨とする。
【００１９】
本発明の一の特徴は、本発明の上述した特徴において、一のネットワークドメイン（ＷＬＡＮドメイン１００又はＣＳドメイン２００）に前記一のユーザ端末が接続する場合に、前記一のネットワークドメイン内で用いられる前記宛先情報である一の宛先情報（ＷＬＡＮ用ホストアドレス又はＣＳ用ホストアドレス）と前記経路識別情報（ルーティングアドレス）とを対応付けて記憶する記憶部（記憶部５３）と、前記経路識別情報が前記宛先情報として用いられた前記ユーザの通信情報を前記他のユーザ端末から受信した場合に、前記ユーザの通信情報の種別に基づいて前記宛先情報の変更が必要であるか否かを判定する判定部（Ｕ−ＰＬＡＮＥ切替部５５）と、前記宛先情報の変更が必要であると判定された場合に、前記宛先情報を前記経路識別情報から前記一の宛先情報に変更して、前記ユーザの通信情報を転送する転送部（通信部５１）を通信制御装置がさらに備えることを要旨とする。
【００２０】
本発明の一の特徴は、本発明の上述した特徴において、前記記憶部が、前記一のユーザ端末が接続する前記ネットワークドメインが前記一のネットワークドメインから他のネットワークドメイン（ＣＳドメイン２００又はＷＬＡＮドメイン１００）に切り替えられる場合に、前記他のネットワークドメイン内で用いられる前記宛先情報である他の宛先情報（ＣＳ用ホストアドレス又はＷＬＡＮ用ホストアドレス）と前記経路識別情報とを対応付けて記憶し、前記転送部が、前記宛先情報の変更が必要であると判定された場合に、前記宛先情報を前記経路識別情報から前記他の宛先情報に変更して、前記ユーザの通信情報の通信経路を切り替えることを要旨とする。
【００２１】
本発明の一の特徴は、本発明の上述した特徴において、前記ユーザの通信情報の通信経路の切り替えを指示する切替指示を受付ける受付部（通信部５１）を通信制御装置がさらに備え、前記判定部が、前記切替指示を受付けた場合に、前記宛先情報の変更が必要であるか否かを判定することを要旨とする。
【発明の効果】
【００２２】
本発明によれば、ユーザ端末が接続するネットワークドメインの切り替え時間の短縮を図るとともに、“Ｌｏｃａｔｉｏｎ  Ｐｒｉｖａｃｙ”を確保することを可能とする通信制御方法及び通信制御装置を提供することができる。
【発明を実施するための最良の形態】
【００２３】
次に、本発明の実施形態について説明する。なお、以下の図面の記載において、同一または類似の部分には、同一または類似の符号を付している。ただし、図面は模式的なものであり、各寸法の比率などは現実のものとは異なることに留意すべきである。
【００２４】
（通信システムの構成）
以下において、本発明の一実施形態に係る通信システムの構成について、図面を参照しながら説明する。図１は、本発明の一実施形態に係る通信システムの構成を示す概略図である。なお、図１では、ユーザ端末１０ｂがユーザ端末１０ａに制御情報やユーザの通信情報を送信する場合を例に挙げている。また、図１では、ユーザ端末１０ａが接続するネットワークの構成についてのみ着目している点に留意すべきである。
【００２５】
図１に示すように、ユーザ端末１０ａは、ＷＬＡＮドメイン１００又はＣＳドメイン２００に接続可能である。また、ユーザ端末１０ａが接続するネットワークドメインに応じて、ユーザ端末１０ａとユーザ端末１０ｂとの間で制御情報を送受信する経路（Ｃ−ＰＬＡＮＥ）が切り替えられる。同様に、ユーザ端末１０ａが接続するネットワークドメインに応じて、ユーザ端末１０ａとユーザ端末１０ｂとの間でユーザの通信情報（例えば、音声情報やデータ情報）を送受信する経路（Ｕ−ＰＬＡＮＥ）が切り替えられる。
【００２６】
なお、ユーザ端末１０ａ及びユーザ端末１０ｂは、同様の構成を有しているため、特に断らない限りは、これらを総称してユーザ端末１０と称する。また、ユーザ端末１０の詳細については後述する。
【００２７】
ＷＬＡＮドメイン１００は、ＩＥＥＥ８０２．１１などで規格化された無線ＬＡＮドメインであり、ユーザ端末１０ａと無線通信を行うアクセスポイント（不図示）などを含む。なお、ＷＬＡＮドメイン１００内では、ユーザ端末１０ｂが送信するユーザの通信情報の宛先情報として、ユーザ端末１０ａを識別する識別情報（例えば、ユーザ端末１０ａのＩＰアドレス）が用いられる。
【００２８】
ＰＤＧ１１０は、ユーザ端末１０ａがＷＬＡＮドメイン１００に接続される場合に、Ｃ−ＰＬＡＮＥ及びＵ−ＰＬＡＮＥを制御する装置（Ｐａｃｋｅｔ  Ｄａｔａ  Ｇａｔｅｗａｙ）である。具体的には、ＰＤＧ１１０は、ユーザ端末１０ａとＶＣＣ４０（後述）との間のセッション３を制御する。また、ＰＤＧ１１０は、ユーザ端末１０ｂが送信するユーザの通信情報をユーザ端末１０ａに送信する。
【００２９】
ＣＳドメイン２００は、回線交換（ＣＳ；Ｃｉｒｃｕｉｔ  Ｓｗｉｔｃｈｅｄ）ドメインであり、ユーザ端末１０ａと無線通信を行う基地局（不図示）や基地局を管理するＲＮＣ（Ｒａｄｉｏ  Ｎｅｔｗｏｒｋ  Ｃｏｎｔｒｏｌｌｅｒ、不図示）などを含む。なお、ＣＳドメイン２００内では、ユーザ端末１０ｂが送信するユーザの通信情報の宛先情報として、ＭＧＷ２３０を識別する識別情報（例えば、ＭＧＷ２３０のＩＰアドレス）が用いられる。
【００３０】
ここで、各ネットワークドメイン内で用いられる宛先情報をホストアドレスと称する。また、各ネットワークドメイン内で用いられる宛先情報は異なっており、ＷＬＡＮドメイン１００内で用いられるホストアドレスをＷＬＡＮ用ホストアドレスと称し、ＣＳドメイン２００内で用いられるホストアドレスをＣＳ用ホストアドレスと称する。
【００３１】
ＭＳＣ/ＶＬＲ２１０は、ＲＮＣ（不図示）を管理して回線交換を行うＭＳＣ（Ｍｏｂｉｌｅ  Ｓｅｉｔｃｈｉｎｇ  Ｃｏｎｔｒｏｌｌｅｒ）と、ユーザ端末１０ａの加入者情報、位置情報及び認証情報などを一時的に管理するＶＬＲ（Ｖｉｓｉｔｅｒ  Ｌｏｃａｔｉｏｎ  Ｒｅｇｉｓｔｅｒ）とを併せ持つ装置である。
【００３２】
ＭＧＣＦ２２０は、ユーザ端末１０ａがＣＳドメイン２００に接続される場合に、Ｃ−ＰＬＡＮＥを制御する機能（Ｍｅｄｉａ  Ｇａｔｅｗａｙ  Ｃｏｎｔｒｏｌｌ  Ｆｕｎｃｔｉｏｎ）を有する装置である。具体的には、ＭＧＣＦ２２０は、ＭＧＣＦ２２０とＶＣＣ４０（後述）との間のセッション２を制御する。
【００３３】
ＭＧＷ２３０は、ＳＴＭ（Ｓｙｎｃｈｒｏｎｏｕｓ  Ｔｒａｎｓｐｏｒｔ  Ｍｏｄｅ）、ＡＴＭ（Ａｓｙｎｃｈｒｏｎｏｕｓ  Ｔｒａｎｓｐｏｒｔ  Ｍｏｄｅ）、ＩＰ（Ｉｎｔｅｒｎｅｔ  Ｐｒｏｔｏｃｏｌ）などの通信方式を切り替える機能を有する装置（Ｍｅｄｉａ  Ｇａｔｅｗａｙ）である。具体的には、ＭＧＷ２３０は、Ｕ−Ｐｌａｎｅ上に設けられており、音声情報のＣｏｄｅｃ方式の変換やＱｏＳ（Ｑｕａｌｉｔｙ  ｏｆ  Ｓｅｒｖｉｃｅ）制御などを行う。
【００３４】
加入者サーバ２４０は、ユーザ端末１０ａの加入者情報、位置情報及び認証情報などを管理するサーバ（例えば、ＨＬＲ；Ｈｏｍｅ  Ｌｏｃａｔｉｏｎ  Ｒｅｇｉｓｔｅｒ、ＨＳＳ；Ｈｏｍｅ  Ｓｕｂｓｃｒｉｂｅｒ  ｓｅｒｖｅｒ）である。また、加入者サーバ２４０は、ユーザ端末１０ａがユーザ端末１０ｂとセッションを開始する際に、ユーザ端末１０ａの加入者情報に基づいて、ユーザ端末１０ａが正当であることを認証するサーバ（例えば、ＡＡＡ；Ａｕｔｈｅｎｔｉｃａｔｉｏｎ  Ａｕｔｈｏｒｉｚａｔｉｏｎ  Ａｃｃｏｕｎｔｉｎｇ  ｓｅｒｖｅｒ）である。
【００３５】
ＣＳＣＦ３０は、ユーザ端末１０ａとユーザ端末１０ｂとの間で行われる呼制御の状態を制御する機能（Ｃａｌｌ  Ｓｔａｔｅ  Ｃｏｎｔｒｏｌ  Ｆｕｎｃｔｉｏｎ）を有する装置である。例えば、ＣＳＣＦ３０は、ＳＩＰ（Ｓｅｓｓｉｏｎ  Ｉｎｉｔｉａｔｉｏｎ  Ｐｒｏｔｏｃｌ）が用いられる場合には、ユーザ端末１０ａのＩＰアドレス（ＳＩＰアドレス）などが登録されるＳＩＰサーバとして機能する。
【００３６】
なお、ＣＳＣＦ３０は、ユーザ端末１０ａとユーザ端末１０ｂとの間で通信を開始する際に最初にコンタクトされるＰ（Ｐｒｏｘｙ）−ＣＳＣＦ、セッションの開始及びセッションの終了を管理するＳ（Ｓｅｒｖｉｎｇ）−ＣＳＣＦ、ユーザ端末１０ａとユーザ端末１０ｂとの間で通信を開始する際にＳ−ＣＳＣＦを割り当てるＩ（Ｉｎｔｅｒｒｏｇａｔｉｎｇ）−ＣＳＣＦなどを含む。本実施形態では、説明を簡略化するために、Ｐ−ＣＳＣＦ、Ｓ−ＣＳＣＦ及びＩ−ＣＳＣＦをまとめてＣＳＣＦ３０と総称する。
【００３７】
ＶＣＣ４０は、ユーザ端末１０ａが接続するネットワークドメインが切り替えられた場合に、呼制御情報などの制御情報の経路であるＣ−ＰＬＡＮＥを切り替えるアプリケーション（Ｖｏｉｃｅ  Ｃａｌｌ  Ｃｏｎｔｉｎｕｉｔｙ  Ａｐｐｌｉｃａｔｉｏｎ）を有する。具体的には、ＶＣＣ４０は、ユーザ端末１０ａがＣＳドメイン２００に接続される場合には、ＶＣＣ４０とユーザ端末１０ｂとの間でセッション１を設定するとともに、ＶＣＣ４０とＭＧＣＦ２２０との間でセッション２を設定する。一方、ＶＣＣ４０は、ユーザ端末１０ａがＷＬＡＮドメイン１００に接続される場合には、ＶＣＣ４０とユーザ端末１０ｂとの間でセッション１を設定するとともに、ＶＣＣ４０とユーザ端末１０ａとの間でセッション３を設定する。
【００３８】
このように、ＶＣＣ４０は、ユーザ端末１０ａが接続するネットワークドメインによらずに、ＶＣＣ４０とユーザ端末１０ｂとの間でセッション１を設定する。すなわち、ＶＣＣ４０は、ユーザ端末１０ａが接続するネットワークドメインが切り替えられても、ユーザ端末１０ｂ側のセッション１を切り替えずに、ユーザ端末１０ａ側のセッション（セッション２又はセッション３）のみを切り替える。
【００３９】
ＩＡＳＡ５０は、ユーザ端末１０ａが接続するネットワークドメインが切り替えられた場合に、音声情報やデータ情報などのユーザの通信情報の経路であるＵ−ＰＬＡＮＥを切り替える装置（Ｉｎｔｅｒ  Ａｃｃｅｓｓ  Ｓｙｓｔｅｍ  Ａｎｃｈｏｒ）である。すなわち、ＩＡＳＡ５０は、ユーザ端末１０ｂ側から受信したユーザの通信情報を終端した上で、ユーザ端末１０ａ側にユーザの通信情報を送信する。
【００４０】
具体的には、ＩＡＳＡ５０は、ユーザ端末１０ａがＣＳドメイン２００に接続される場合には、ユーザ端末１０ｂ側から受信したユーザの通信情報を終端した上で、ユーザの通信情報をＭＧＷ２３０に送信する。一方、ＩＡＳＡ５０は、ユーザ端末１０ａがＷＬＡＮドメイン１００に接続される場合には、ユーザ端末１０ｂ側から受信したユーザの通信情報を終端した上で、ユーザの通信情報をユーザ端末１０ａに送信する。
【００４１】
ここで、ユーザ端末１０ｂが送信するユーザの通信情報の宛先情報は、各ネットワークドメイン内で用いられるホストアドレスではなくて、ユーザ端末１０ｂとＩＡＳＡ５０との間でＵ−ＰＬＡＮＥを識別するルーティングアドレス（例えば、ＩＡＳＡ５０のＩＰアドレス）である。
【００４２】
従って、「ユーザ端末１０ｂ側から受信したユーザの通信情報を終端する」とは、宛先情報がルーティングアドレスであるユーザの通信情報を受信して、ルーティングアドレスからホストアドレスにユーザの通信情報の宛先情報を書き換えることを意味する。
【００４３】
また、ＩＡＳＡ５０は、ユーザ端末１０ａがＣＳドメイン２００に接続される場合には、ルーティングアドレスとＣＳ用ホストアドレスとを対応付けて記憶する。一方、ＩＡＳＡ５０は、ユーザ端末１０ａがＷＬＡＮドメイン１００に接続される場合には、ルーティングアドレスとＷＬＡＮ用ホストアドレスとを対応付けて記憶する。なお、ＩＡＳＡ５０の詳細については後述する（図３を参照）。
【００４４】
（ユーザ端末の構成）
以下において、本発明の一実施形態に係るユーザ端末の構成について、図面を参照しながら説明する。図２は、本発明の一実施形態に係るユーザ端末１０の構成を示すブロック図である。
【００４５】
図２に示すように、ユーザ端末１０は、通信部１１と、ＩＳＩＭ１２と、ＵＳＩＭ１３とを有する。なお、図２では、ユーザ端末１０が無線通信を行うために備えるべき構成の一部（例えば、変調処理部、符号化処理部、ベースバンド処理部）が省略されていることに留意されたい。
【００４６】
通信部１１は、ＷＬＡＮドメイン１００に含まれるアクセスポイント又はＣＳドメイン２００に含まれる基地局と無線通信を行う。また、通信部１１は、Ｃ−ＰＬＡＮＥを通じて呼制御情報などの制御情報を送信し、Ｕ−ＰＬＡＮＥを通じて音声情報やデータ情報などのユーザの通信情報を送信する。
【００４７】
ＩＳＩＭ１２は、ＷＬＡＮドメイン１００を通じて通信を行う場合に、各種処理を行うモジュール（ＩＰ  Ｍｕｌｔｉｍｅｄｉａ  Ｓｅｒｖｉｃｅｓ  Ｉｄｅｎｔｉｔｙ  Ｍｏｄｕｌｅ）である。具体的には、ＩＳＩＭ１２は、ＷＬＡＮドメイン１００を通じて通信を行う場合に必要な識別情報（ＩＰアドレス）などを管理しており、この識別情報を用いて各種処理を行う。
【００４８】
ＵＳＩＭ１３は、ＣＳドメイン２００を通じて通信を行う場合に、各種処理を行うモジュール（Ｕｎｉｖｅｒｓａｌ  ＳｕｂｓｃｒｉｂｅｒＩｄｅｎｔｉｔｙ  Ｍｏｄｕｌｅ）である。具体的には、ＵＳＩＭ１３は、ＣＳドメイン２００を通じて通信を行う場合に必要な加入者情報などを管理しており、この加入者情報を用いて各種処理を行う。
【００４９】
（ＩＡＳＡの構成）
以下において、本発明の一実施形態に係るＩＡＳＡの構成について、図面を参照しながら説明する。図３は、本発明の一実施形態に係るＩＡＳＡ５０の構成を示すブロック図である。
【００５０】
図３に示すように、ＩＡＳＡ５０は、通信部５１と、アドレス割当部５２と、記憶部５３と、制御部５４と、Ｕ−ＰＬＡＮＥ切替部５５とを有する。なお、ＩＡＳＡ５０は、ユーザ端末１０ａとユーザ端末１０ｂとの間でユーザの通信情報を送受信する経路であるＵ−ＰＬＡＮＥ上に設けられている。
【００５１】
通信部５１は、ユーザ端末１０ｂが送信するユーザの通信情報を受信する。なお、ユーザ端末１０ｂが送信するユーザの通信情報の宛先情報は、上述したように、ルーティングアドレス（例えば、ＩＡＳＡ５０のＩＰアドレス）である。
【００５２】
続いて、通信部５１は、Ｕ−ＰＬＡＮＥ切替部５５の指示に応じて、ユーザの通信情報の宛先情報を書き換えて、宛先情報が書き換えられたユーザの通信情報を転送する。
【００５３】
例えば、ユーザ端末１０ａがＷＬＡＮドメイン１００に接続される場合には、ユーザ端末１０ｂが送信するユーザの通信情報の宛先情報は、ルーティングアドレスからＷＬＡＮ用ホストアドレス（例えば、ユーザ端末１０ａのＩＰアドレス）に書き換えられる。一方、ユーザ端末１０ａがＣＳドメイン２００に接続される場合には、ユーザ端末１０ｂがユーザ端末１０ａに送信するユーザの通信情報の宛先情報は、ルーティングアドレスからＣＳ用ホストアドレス（例えば、ＭＧＷ２３０のＩＰアドレス）に書き換えられる。
【００５４】
通信部５１は、ユーザ端末１０ａが接続するネットワークドメインで用いられるユーザの通信情報の宛先情報の割当てを要求するメッセージ（ＨＡＲ；Ｈｏｍｅ  Ａｇｅｎｔ  ＭＩＰ  Ｒｅｑｕｅｓｔ）を加入者サーバ２４０から受信する。また、通信部５１は、ルーティングアドレス（例えば、ＩＡＳＡ５０のＩＰアドレス）の割当てを要求する割当て要求（Ａｌｌｏｃａｔｉｏｎ  Ｒｅｑｕｅｓｔ）をＣＳＣＦ３０から受信する。
【００５５】
さらに、通信部５１は、ＷＬＡＮドメイン１００経由のＵ−ＰＬＡＮＥをＣＳドメイン２００経由のＵ−ＰＬＡＮＥに切り替えることを指示する切替指示、ＣＳドメイン２００経由のＵ−ＰＬＡＮＥをＷＬＡＮドメイン１００経由のＵ−ＰＬＡＮＥに切り替えることを指示する切替指示をＣＳＣＦ３０から受信する。
【００５６】
アドレス割当部５２は、メッセージ（ＨＡＲ；Ｈｏｍｅ  Ａｇｅｎｔ  ＭＩＰ  Ｒｅｑｕｅｓｔ）に応じて、各ネットワークドメイン内で用いられるホストアドレスをユーザ端末１０ａに割り当てる。
【００５７】
また、アドレス割当部５２は、割当て要求（Ａｌｌｏｃａｔｉｏｎ  Ｒｅｑｕｅｓｔ）に応じて、ユーザ端末１０ｂとＩＡＳＡ５０との間に設定されるＵ−ＰＬＡＮＥに、ルーティングアドレス（例えば、ＩＡＳＡ５０のＩＰアドレス）を割り当てる。
【００５８】
さらに、アドレス割当部５２は、ルーティングアドレスとホストアドレスとを対応付けて記憶部５３に記憶する。
【００５９】
具体的には、アドレス割当部５２は、ユーザ端末１０ａがＣＳドメイン２００に接続される場合には、ＣＳ用ホストアドレス（例えば、ＭＧＷ２３０のＩＰアドレス）を割り当てるとともに、ＣＳ用ホストアドレスとルーティングアドレスとを対応付けて記憶部５３に記憶する。
【００６０】
一方、アドレス割当部５２は、ユーザ端末１０ａがＷＬＡＮドメイン１００に接続される場合には、ＷＬＡＮ用ホストアドレス（例えば、ユーザ端末１０ａのＩＰアドレス）を割り当てるとともに、ＷＬＡＮ用ホストアドレスとルーティングアドレスとを対応付けて記憶部５３に記憶する。
【００６１】
記憶部５３は、端末ＩＤと、ルーティングアドレスと、ホストアドレスと、サービス種別と、接続状態とを対応付けて記憶している。
【００６２】
「端末ＩＤ」欄には、ユーザ端末１０ａを識別するＩＤ（例えば、電話番号）が格納されている。
【００６３】
「ルーティングアドレス」欄には、ユーザ端末１０ｂとＩＡＳＡ５０との間で宛先情報として用いられるルーティングアドレス（ＩＡＳＡ５０のＩＰアドレスなど）が格納されている。
【００６４】
「ホストアドレス」欄には、ユーザ端末１０ａが接続するネットワークドメイン内で宛先情報として用いられるホストアドレスが格納されている。なお、ホストアドレスは、上述したように、ユーザ端末１０ａがＣＳドメイン２００に接続される場合には、ＣＳ用ホストアドレス（例えば、ＭＧＷ２３０のＩＰアドレス）である。一方、ホストアドレスは、ユーザ端末１０ａがＷＬＡＮドメイン１００に接続される場合には、ＷＬＡＮ用ホストアドレス（例えば、ユーザ端末１０ａのＩＰアドレス）である。
【００６５】
なお、上述したルーティングアドレスは、データ情報のホストアドレスと同じであってもよい。
【００６６】
「サービス種別」欄には、ユーザ端末１０ｂが送信するユーザの通信情報の種別を示す情報が格納されている。例えば、「サービス種別」欄には、ユーザの通信情報が音声情報であるか、ユーザの通信情報がデータ情報であるかを示す情報が格納されている。
【００６７】
なお、「サービス種別」欄には、ユーザ端末１０ａとユーザ端末１０ｂとの間で行われる通信で用いられるプロトコル（ＲＴＰ；Ｒｅａｌ−ｔｉｍｅ  Ｔｒａｎｓｐｏｒｔ  Ｐｒｏｔｏｃｏｌ）やＨＴＴＰ；Ｈｙｐｅｒ  Ｔｅｘｔ  Ｔｒａｎｓｆｅｒ  Ｐｒｏｔｏｃｌなど）を識別するプロトコルＩＤ、ユーザ端末１０ａとユーザ端末１０ｂとの間で行われる通信の開始時に設定されるポート番号などが格納されていてもよい。
【００６８】
「接続状態」欄には、ユーザ端末１０ｂが送信するユーザの通信情報の種別（サービス種別）毎に、ユーザ端末１０ｂが送信するユーザの通信情報の宛先情報として有効化されているホストアドレスを示す情報が格納される。例えば、ホストアドレスがユーザの通信情報の宛先情報として有効化されている場合には、「接続状態」欄には「○」が格納され、ホストアドレスがユーザの通信情報の宛先情報として有効化されていない場合には、「接続状態」欄には「×」が格納される。
【００６９】
Ｕ−ＰＬＡＮＥ切替部５５は、ＣＳＣＦ３０から切替指示を受信した場合に、記憶部５３に記憶された「サービス種別」欄を参照して、ユーザ端末１０ｂが送信するユーザの通信情報の種別を取得する。また、Ｕ−ＰＬＡＮＥ切替部５５は、記憶部５３から取得されたユーザの通信情報の種別に基づいて、ユーザの通信情報の宛先情報の変更が必要であるか否かを判定する。
【００７０】
具体的には、Ｕ−ＰＬＡＮＥ切替部５５は、ユーザの通信情報の種別が音声情報である場合には、宛先情報の変更が必要であると判定し、ユーザの通信情報の種別がデータ情報である場合には、宛先情報の変更が不要であると判定する。
【００７１】
続いて、Ｕ−ＰＬＡＮＥ切替部５５は、宛先情報の変更が必要であると判定された場合には、切替指示によって指示されたネットワークドメインに従って、記憶部５３に記憶された「接続状態」欄を更新する。
【００７２】
具体的には、Ｕ−ＰＬＡＮＥ切替部５５は、ＷＬＡＮドメイン１００経由のＵ−ＰＬＡＮＥからＣＳドメイン２００経由のＵ−ＰＬＡＮＥへの切り替えが切替指示によって指示された場合には、ＣＳドメイン２００に対応する「接続状態」欄を「×」から「○」に更新する。一方で、Ｕ−ＰＬＡＮＥ切替部５５は、ＣＳドメイン２００経由のＵ−ＰＬＡＮＥからＷＬＡＮドメイン１００経由のＵ−ＰＬＡＮＥへの切り替えが切替指示によって指示された場合には、ＷＬＡＮドメイン１００に対応する「接続状態」欄を「×」から「○」に更新する。
【００７３】
さらに、Ｕ−ＰＬＡＮＥ切替部５５は、ユーザ端末１０ｂが送信するユーザの通信情報を受信した場合には、記憶部５３に記憶された「接続状態」欄を参照して、ユーザ端末１０ａに送信するユーザの通信情報の宛先情報の書き換えを通信部５１に指示する。
【００７４】
具体的には、Ｕ−ＰＬＡＮＥ切替部５５は、ユーザ端末１０ｂから受信したユーザの通信情報の宛先情報（ルーティングアドレス）に対応付けられているホストアドレスを記憶部５３から取得する。ここで、Ｕ−ＰＬＡＮＥ切替部５５は、ユーザの通信情報の種別（サービス種別）に応じて、接続状態が「○」であるホストアドレスを取得する。また、Ｕ−ＰＬＡＮＥ切替部５５は、ルーティングアドレスからホストアドレスに宛先情報を書き換えることを通信部５１に指示する。
【００７５】
なお、上述したように、ユーザの通信情報がデータ情報である場合には、ルーティングアドレスとホストアドレスとが同じであってもよい。従って、このような場合には、宛先情報の書き換えが不要であることは勿論である。
【００７６】
（通信システムの動作）
以下において、本発明の一実施形態に係る通信システムの動作について、図面を参照しながら説明する。図５〜図１０は、本発明の一実施形態に係る通信システムの動作を示すシーケンス図である。
【００７７】
最初に、ユーザ端末１０ａがＣＳドメイン２００に接続する際における通信システムの動作について、図５を参照しながら説明する。
【００７８】
図５に示すように、ステップ１０において、ユーザ端末１０ａは、ユーザ端末１０ａとユーザ端末１０ｂとの間で通信を開始するため接続要求（Ｓｅｔ  Ｕｐ）をＭＳＣ/ＶＬＲ２１０に送信する。
【００７９】
ステップ１１において、ＭＳＣ/ＶＬＲ２１０は、ユーザ端末１０ａにホストアドレスを割り当てることを要求するメッセージ（ＩＡＭ；Ｉｎｉｔｉａｌ  Ａｄｄｒｅｓｓ  Ｍｅｓｓａｇｅ）をＭＧＣＦ２２０／ＭＧＷ２３０に送信する。
【００８０】
ステップ１２において、ＭＧＣＦ２２０／ＭＧＷ２３０は、ＩＡＭを受付けたことを示すメッセージ（ＡＣＭ；Ａｄｄｒｅｓｓ  Ｃｏｍｐｌｅｔｅ  Ｍｅｓｓａｇｅ）をＭＳＣ/ＶＬＲ２１０に送信する。
【００８１】
ステップ１３において、ＭＳＣ/ＶＬＲ２１０は、接続要求（Ｓｅｔ  Ｕｐ）が受付けられたことを示すメッセージ（Ａｌｅｒｔ）をユーザ端末１０ａに送信する。
【００８２】
ステップ１４において、ＭＧＣＦ２２０／ＭＧＷ２３０は、ユーザ端末１０ａが正当であるか否かについて認証を要求する認証要求（ＡＭＲ；Ａｕｔｈｅｎｔｉｃａｔｉｏｎ−Ａｕｔｈｏｒｉｚａｔｉｏｎ  Ｍｏｂｉｌｅ−ｎｏｄｅ  Ｒｅｑｕｅｓｔ）を加入者サーバ２４０に送信する。
【００８３】
ステップ１５において、加入者サーバ２４０は、ユーザ端末１０ａが正当であることを認証した上で、ユーザ端末１０ａの位置情報やユーザ端末１０ａが要求するサービス種別に応じて、ユーザ端末１０ａとユーザ端末１０ｂとの間で送受信されるユーザの通信情報の経路（Ｕ−ＰＬＡＮＥ）に割り当てるべきＩＡＳＡ５０を選択する。また、加入者サーバ２４０は、ＣＳ用ホストアドレスの割当てを要求するメッセージ（ＨＡＲ；Ｈｏｍｅ  Ａｇｅｎｔ  ＭＩＰ  Ｒｅｑｕｅｓｔ）を、位置情報やサービス種別に応じて選択されたＩＡＳＡ５０に送信する。
【００８４】
ステップ１６において、ＩＡＳＡ５０は、ＣＳ用ホストアドレスをユーザ端末１０ａに割り当てるとともに、割り当てたＣＳ用ホストアドレスを端末ＩＤ（例えば、ユーザ端末１０ａの電話番号）とともに記憶部５３に記憶する。
【００８５】
ステップ１７において、ＩＡＳＡ５０は、ユーザ端末１０ａに割り当てられたＣＳ用ホストアドレスを含むメッセージ（ＨＡＡ；Ｈｏｍｅ  Ａｇｅｎｔ  ＭＩＰ  Ａｎｓｗｅｒ）を加入者サーバ２４０に送信する。
【００８６】
なお、加入者サーバ２４０は、ＩＡＳＡ５０のＩＰアドレス及びユーザ端末１０ａのＣＳ用ホストアドレスとを対応付けて記憶する。
【００８７】
ステップ１８において、加入者サーバ２４０は、ステップ１５で選択されたＩＡＳＡ５０のＩＰアドレスを含むメッセージ（ＡＭＡ；Ａｕｔｈｅｎｔｉｃａｔｉｏｎ−Ａｕｔｈｏｒｉｚａｔｉｏｎ  Ｍｏｂｉｌｅ−ｎｏｄｅ  Ａｎｓｗｅｒ）をＭＧＣＦ２２０／ＭＧＷ２３０に送信する。
【００８８】
ステップ１９において、ＭＧＣＦ２２０／ＭＧＷ２３０は、ユーザ端末１０ａのＣＳ用ホストアドレスを送信元情報として、ユーザ端末１０ｂの呼び出しを要求するメッセージ（Ｉｎｖｉｔｅ）をＣＳＣＦ３０に送信する。
【００８９】
ステップ２０において、ＣＳＣＦ３０は、ユーザ端末１０ａのＣＳ用ホストアドレスを送信元情報として、ルーティングアドレスの割当てを要求するメッセージ（Ａｌｌｏｃａｔｉｏｎ  Ｒｅｑｕｅｓｔ）をＩＡＳＡ５０に送信する。
【００９０】
ステップ２１において、ＩＡＳＡ５０は、ユーザ端末１０ｂとＩＡＳＡ５０との間で設定されるＵ−ＰＬＡＮＥにルーティングアドレスを割り当てる。また、ＩＡＳＡ５０は、ユーザ端末１０ａのＣＳ用ホストアドレスとルーティングアドレスとを対応付けて記憶する（ＮＡＴ（Ｎｅｔｗｏｒｋ  Ａｄｄｒｅｓｓ  Ｔｒａｎｓｌａｔｉｏｎ）処理）。
【００９１】
ステップ２２において、ＩＡＳＡ５０は、ルーティングアドレスを送信元情報として、ルーティングアドレスを割り当てたことを示すメッセージ（Ｒｅｓｅｒｖｅｄ）をＣＳＣＦ３０に送信する。
【００９２】
ステップ２３において、ＣＳＣＦ３０は、ルーティングアドレスを送信元情報として、ユーザ端末１０ｂの呼び出しを要求するメッセージ（Ｉｎｖｉｔｅ）をユーザ端末１０ｂに送信する。また、ユーザ端末１０ｂは、ユーザの通信情報をユーザ端末１０ａに送信する場合には、ユーザの通信情報の宛先情報としてルーティングアドレスを用いる。
【００９３】
ステップ２４において、ＣＳＣＦ３０は、ユーザ端末１０ｂの呼び出しを行っていることを示すメッセージ（２００ＯＫ）をＭＧＣＦ２２０／ＭＧＷ２３０に送信する。
【００９４】
ステップ２５において、ＭＧＣＦ２２０／ＭＧＷ２３０は、ユーザ端末１０ａとＩＡＳＡ５０との間でユーザの通信情報を送受信する経路であるＵ−ＰＬＡＮＥの設定を要求するメッセージ（Ｐａｔｈ  Ｅｓｔａｂｌｉｓｈ  Ｒｅｑｕｅｓｔ）をＩＡＳＡ５０に送信する。
【００９５】
ステップ２６において、ＩＡＳＡ５０は、ユーザ端末１０ａとＩＡＳＡ５０との間でユーザの通信情報を送受信する経路であるＵ−ＰＬＡＮＥを設定した上で、Ｕ−ＰＬＡＮＥが設定されたことを示すメッセージ（Ｐａｔｈ  Ｅｓｔａｂｌｉｉｓｈ  Ｒｅｓｐｏｎｓｅ）をＭＧＣＦ２２０／ＭＧＷ２３０に送信する。
【００９６】
ステップ２７において、ＭＧＣＦ２２０／ＭＧＷ２３０は、ユーザ端末１０ａとＩＡＳＡ５０との間でユーザの通信情報を送受信する経路であるＵ−ＰＬＡＮＥが設定されたことを示すメッセージ（ＡＮＭ；Ａｎｓｗｅｒ  Ｍｅｓｓａｇｅ）をＭＳＣ/ＶＬＲ２１０に送信する。
【００９７】
ステップ２７において、ＭＳＣ/ＶＬＲ２１０は、ユーザ端末１０ａとＩＡＳＡ５０（ユーザ端末１０ｂ）との間でユーザの通信情報を送受信する経路であるＵ−ＰＬＡＮＥが設定されたことを示すメッセージ（Ｃｏｎｎｅｃｔ）をユーザ端末１０ａに送信する。
【００９８】
ステップ２８において、ユーザ端末１０ａは、Ｕ−ＰＬＡＮＥが設定されたことを示すメッセージ（Ｃｏｎｎｅｃｔ）の受信確認（Ｃｏｎｎｅｃｔ  Ａｃｋ）をＭＳＣ/ＶＬＲ２１０に送信する。
【００９９】
次に、ユーザ端末１０ａがＷＬＡＮドメイン１００に接続する際における通信システムの動作について、図６を参照しながら説明する。
【０１００】
図６に示すように、ステップ３０において、ユーザ端末１０ａは、ユーザ端末１０ａとユーザ端末１０ｂとの間で通信を開始するための発信手順１を実行する。具体的には、ユーザ端末１０ａは、ユーザ端末１０ａの位置情報に応じてユーザ端末１０ａが接続すべきＰＤＧ１１０の選択をＡＲＦ（不図示）に要求して、ユーザ端末１０ａが接続すべきＰＤＧ１１０のＩＰアドレスを取得する。続いて、ユーザ端末１０ａは、暗号処理や認証処理を行うためのメッセージ（ＩＫＥ＿ＳＡ＿ＩＮＩＴ＿Ｒｅｑｕｅｓｔ、ＩＫＥ＿Ａｕｔｈ＿Ｒｅｑｕｅｓｔなど）をＰＤＧ１１０に送信する。また、ＰＤＧ１１０は、ユーザ端末１０ａが正当であるか否かの認証を加入者サーバ２４０に対して要求し、加入者サーバ２４０は、ユーザ端末１０ａが正当であることを認証する。
【０１０１】
なお、ステップ３０における処理では、ユーザ端末１０ａとＰＤＧ１１０との間にＩＰＳｅｃトンネルが形成される。
【０１０２】
ステップ３１において、ＰＤＧ１１０は、ＷＬＡＮドメイン１００で要求される要件をユーザ端末１０ａが満たしているか否かの認証を要求するメッセージ（ＮＡＳＲＥＱ（Ｎｅｔｗｏｒｋ  Ａｃｃｅｓｓ  ｎｏｄｅ  Ｒｅｑｕｉｒｅｍｅｎｔ）  ＡＡ（Ａｕｔｈｅｎｔｉｃａｔｉｏｎ  Ａｕｔｈｏｒｉｚａｔｉｏｎ）−Ｒｅｑｕｅｓｔ）を加入者サーバ２４０に送信する。
【０１０３】
ステップ３２において、加入者サーバ２４０は、ＷＬＡＮドメイン１００で要求される要件をユーザ端末１０ａが満たしていることを認証した上で、ユーザ端末１０ａの位置情報やユーザ端末１０ａが要求するサービス種別に応じて、ユーザ端末１０ａとユーザ端末１０ｂとの間で送受信されるユーザの通信情報の経路（Ｕ−ＰＬＡＮＥ）に割り当てるべきＩＡＳＡ５０を選択する。また、加入者サーバ２４０は、ＷＬＡＮ用ホストアドレスの割当てを要求するメッセージ（ＨＡＲ；Ｈｏｍｅ  Ａｇｅｎｔ  ＭＩＰ  Ｒｅｑｕｅｓｔ）を、位置情報やサービス種別に応じて選択されたＩＡＳＡ５０に送信する。
【０１０４】
ステップ３３において、ＩＡＳＡ５０は、ＷＬＡＮ用ホストアドレスをユーザ端末１０ａに割り当てるとともに、割り当てたＷＬＡＮ用ホストアドレスを端末ＩＤ（例えば、ユーザ端末１０ａの電話番号）とともに記憶部５３に記憶する。
【０１０５】
ステップ３４において、ＩＡＳＡ５０は、ユーザ端末１０ａに割り当てられたＷＬＡＮ用ホストアドレスを含むメッセージ（ＨＡＡ；Ｈｏｍｅ  Ａｇｅｎｔ  ＭＩＰ  Ａｎｓｗｅｒ）を加入者サーバ２４０に送信する。
【０１０６】
なお、加入者サーバ２４０は、ＩＡＳＡ５０のＩＰアドレス及びユーザ端末１０ａのＷＬＡＮ用ホストアドレスとを対応付けて記憶する。
【０１０７】
ステップ３５において、加入者サーバ２４０は、ＷＬＡＮドメイン１００で要求される要件をユーザ端末１０ａが満たしていることを示すメッセージ（ＮＡＳＲＥＱ（Ｎｅｔｗｏｒｋ  Ａｃｃｅｓｓ  ｎｏｄｅ  Ｒｅｑｕｉｒｅｍｅｎｔ）  ＡＡ（Ａｕｔｈｅｎｔｉｃａｔｉｏｎ  Ａｕｔｈｏｒｉｚａｔｉｏｎ）−Ａｎｓｗｅｒ）をＰＤＧ１１０に送信する。なお、メッセージ（ＮＱＳＲＥＱ  ＡＡ−Ａｎｓｗｅｒ）には、ユーザ端末１０ａのＷＬＡＮ用ホストアドレス及びＩＡＳＡ５０のＩＰアドレスが含まれる。
【０１０８】
ステップ３６において、ＰＤＧ１１０は、ユーザ端末１０ａとＩＡＳＡ５０との間でユーザの通信情報を送受信する経路であるＵ−ＰＬＡＮＥの設定を要求するメッセージ（Ｐａｔｈ  Ｅｓｔａｂｌｉｓｈ  Ｒｅｑｕｅｓｔ）をＩＡＳＡ５０に送信する。
【０１０９】
ステップ３７において、ＩＡＳＡ５０は、ユーザ端末１０ａとＩＡＳＡ５０との間でユーザの通信情報を送受信する経路であるＵ−ＰＬＡＮＥの接続がネットワーク管理プロトコルに従って認められたことを示すメッセージ（ＮＷＭＰ接続通知）をＣＳＣＦ３０に送信する。
【０１１０】
ステップ３８において、ＣＳＣＦ３０は、メッセージ（ＮＷＭＰ接続通知）の受信応答（ＮＷＭＰ接続通知応答）をＩＡＳＡ５０に送信する。
【０１１１】
ステップ３９において、ＩＡＳＡ５０は、ユーザ端末１０ａとＩＡＳＡ５０との間でユーザの通信情報を送受信する経路であるＵ−ＰＬＡＮＥを設定した上で、Ｕ−ＰＬＡＮＥが設定されたことを示すメッセージ（Ｐａｔｈ  Ｅｓｔａｂｌｉｉｓｈ  Ｒｅｓｐｏｎｓｅ）をＰＤＧ１１０に送信する。
【０１１２】
ステップ４０において、ＰＤＧ１１０は、ユーザ端末１０ａが正当であることが認証されたことを示すメッセージ（ＩＫＥ  Ａｕｔｈ  Ｒｅｓｐｏｎｓｅ）をユーザ端末１０ａに送信する。なお、メッセージ（ＩＫＥ  Ａｕｔｈ  Ｒｅｓｐｏｎｓｅ）には、ユーザ端末１０ａのＷＬＡＮ用ホストアドレスが含まれる。
【０１１３】
ステップ４１において、ユーザ端末１０ａは、ユーザ端末１０ａとユーザ端末１０ｂとの間で通信を開始するための発信手順２を実行する。具体的には、ユーザ端末１０ａは、ＩＳＩＭ１２で管理されるＩＰアドレスをＣＳＣＦ３０に登録する処理（Ｒｅｇｉｓｔｒａｔｉｏｎ）などを行う。
【０１１４】
ステップ４２において、ユーザ端末１０ａは、ＷＬＡＮ用ホストアドレスを送信元情報として、ユーザ端末１０ｂの呼び出しを要求するメッセージ（ＩＮＶＩＴＥ）をＣＳＣＦ３０に送信する。
【０１１５】
ステップ４３において、ＣＳＣＦ３０は、ユーザ端末１０ａのＷＬＡＮ用ホストアドレスを送信元情報として、ルーティングアドレスの割当てを要求するメッセージ（Ａｌｌｏｃａｔｉｏｎ  Ｒｅｑｕｅｓｔ）をＩＡＳＡ５０に送信する。
【０１１６】
ステップ４４において、ＩＡＳＡ５０は、ユーザ端末１０ｂとＩＡＳＡ５０との間で設定されるＵ−ＰＬＡＮＥにルーティングアドレスを割り当てる。また、ＩＡＳＡ５０は、ＷＬＡＮ用ホストアドレスとルーティングアドレスとを対応付けて記憶する。
【０１１７】
ステップ４５において、ＩＡＳＡ５０は、ルーティングアドレスを送信元情報として、ルーティングアドレスが割り当てられたことを示すメッセージ（Ｒｅｓｅｒｖｅｄ）をＣＳＣＦ３０に送信する。
【０１１８】
ステップ４６において、ＣＳＣＦ３０は、ルーティングアドレスを送信元情報として、ユーザ端末１０ｂの呼び出しを要求するメッセージ（Ｉｎｖｉｔｅ）をユーザ端末１０ｂに送信する。また、ユーザ端末１０ｂは、ユーザの通信情報をユーザ端末１０ａに送信する場合には、ユーザの通信情報の宛先情報としてルーティングアドレスを用いる。
【０１１９】
次に、ユーザ端末１０ａが接続するネットワークドメインがＣＳドメイン２００からＷＬＡＮドメイン１００に切り替えられる際における通信システムの動作について、図７及び図８を参照しながら説明する。なお、図７及び図８では、上述した図６と同様の処理については、同様のステップ番号が付されている。
【０１２０】
図７及び図８に示すように、ステップ５０において、ユーザ端末１０ａは、ＣＳドメイン２００を通じてユーザ端末１０ｂと通信を行っている。
【０１２１】
ステップ３０〜ステップ４５において、ユーザ端末１０ａは、ユーザ端末１０ａが接続するネットワークドメインをＣＳドメイン２００からＷＬＡＮドメイン１００に切り替えるために、ＷＬＡＮドメイン１００に接続する手順を実行する。
【０１２２】
なお、ステップ４４では、ＩＡＳＡ５０は、ルーティングアドレスとＣＳ用ホストアドレスとを対応付けて既に記憶しているが、ルーティングアドレスとＷＬＡＮ用ホストアドレスとを対応付けて新たに記憶する。
【０１２３】
ステップ５１において、ＶＣＣ４０は、呼制御切替処理を行う。具体的には、ＶＣＣ４０は、図１に示したように、セッション１を変更せずに、セッション２をセッション３に切り替える（Ｃ−ＰＬＡＮＥの切替処理）。
【０１２４】
ステップ５２において、ＣＳＣＦ３０は、ユーザ端末１０ａが接続するネットワークドメインを切り替えていることを示すメッセージ（２００  ＯＫ）をユーザ端末１０ａに送信する。
【０１２５】
ステップ５３において、ＣＳＣＦ３０は、ＷＬＡＮドメイン１００内においてユーザ端末１０ａとＩＡＳＡ５０との間で設定されたＵ−ＰＬＡＮＥの有効化を指示する切替指示をＩＡＳＡ５０に送信する。
【０１２６】
ここで、ＩＡＳＡ５０は、記憶部５３に記憶された「サービス種別」欄を参照して、ユーザ端末１０ｂが送信するユーザの通信情報の種別を取得する。また、ＩＡＳＡ５０は、記憶部５３から取得されたユーザの通信情報の種別に基づいて、ユーザの通信情報の宛先情報の変更が必要であるか否かを判定する。
【０１２７】
続いて、ＩＡＳＡ５０は、宛先情報の変更が必要であると判定された場合には、記憶部５３に記憶された「接続状態」欄を更新して、有効化されたホストアドレスをＣＳ用ホストアドレスからＷＬＡＮ用ホストアドレスに切り替える。
【０１２８】
ステップ５４において、ＣＳドメイン２００で設定されたＳＩＰセッション（Ｃ−ＰＬＡＮＥ）が解放される。
【０１２９】
ステップ５５において、ＣＳＣＦ３０は、ＣＳドメイン２００内においてユーザ端末１０ａとＩＡＳＡ５０との間で設定されたＵ−ＰＬＡＮＥの解放を指示する解放指示をＩＡＳＡ５０に送信する。
【０１３０】
ステップ５６において、ＭＧＣＦ２２０／ＭＧＷ２３０は、ＣＳドメイン２００内においてユーザ端末１０ａとＩＡＳＡ５０との間で設定されたＵ−ＰＬＡＮＥの解放を要求するメッセージ（Ｐａｔｈ  Ｒｅｌｅａｓｅ  Ｒｅｑｕｅｓｔ）をＩＡＳＡ５０に送信する。
【０１３１】
ステップ５７において、ＭＧＣＦ２２０／ＭＧＷ２３０は、ＣＳドメイン２００内においてユーザ端末１０ａとＩＡＳＡ５０との間で設定されたＵ−ＰＬＡＮＥの解放を要求するメッセージ（ＲＥＬ）をＭＳＣ/ＶＬＲ２１０に送信する。
【０１３２】
ステップ５８において、ＭＳＣ/ＶＬＲ２１０は、ＣＳドメイン２００内においてユーザ端末１０ａとＩＡＳＡ５０との間で設定されたＵ−ＰＬＡＮＥが切断されたことを示すメッセージ（ＤＩＳＣ）をユーザ端末１０ａに送信する。
【０１３３】
ステップ５９において、ＩＡＳＡ５０は、ＣＳドメイン２００内においてユーザ端末１０ａとＩＡＳＡ５０との間で設定された設定されたＵ−ＰＬＡＮＥを解放したことを示すメッセージ（Ｐａｔｈ  ＲｅｌｅａｓｅＲｅｓｐｏｎｓｅ）をＭＧＣＦ２２０／ＭＧＷ２３０に送信する。
【０１３４】
このように、ユーザ端末１０ａが接続するネットワークドメインがＣＳドメイン２００からＷＬＡＮドメイン１００に切り替えられる場合であっても、ユーザの通信情報の宛先情報としてルーティングアドレスをユーザ端末１０ｂが用いるため、ユーザ端末１０ｂが関知せずに、ユーザ端末１０ａが接続するネットワークドメインが切り替えられる。
【０１３５】
最後に、ユーザ端末１０ａが接続するネットワークドメインがＷＬＡＮドメイン１００からＣＳドメイン２００に切り替えられる際における通信システムの動作について、図９及び図１０を参照しながら説明する。なお、図９及び図１０では、上述した図５と同様の処理については、同様のステップ番号が付されている。
【０１３６】
図９及び図１０に示すように、ステップ７０において、ユーザ端末１０ａは、ＷＬＡＮドメイン１００を通じてユーザ端末１０ｂと通信を行っている。
【０１３７】
ステップ１０ａ〜ステップ２８において、ユーザ端末１０ａは、ユーザ端末１０ａは、ユーザ端末１０ａが接続するネットワークドメインをＷＬＡＮドメイン１００からＣＳドメイン２００に切り替えるために、ＣＳドメイン２００に接続する手順を実行する。
【０１３８】
なお、ステップ１０ａでは、図５に示したステップ１０と異なって、ユーザ端末１０ａは、ユーザ端末１０ａとユーザ端末１０ｂとの通信を識別する切替用番号を含む切替要求（Ｓｅｔ  Ｕｐ）をＭＳＣ/ＶＬＲ２１０に送信する。なお、切替用番号としては、ユーザ端末１０ａやユーザ端末１０ｂの端末ＩＤ、呼制御番号などを用いることができる。
【０１３９】
また、ステップ２１では、ＩＡＳＡ５０は、ルーティングアドレスとＷＬＡＮ用ホストアドレスとを対応付けて既に記憶しているが、ルーティングアドレスとＣＳ用ホストアドレスとを対応付けて新たに記憶する。
【０１４０】
ステップ７１において、ＶＣＣ４０は、呼制御切替処理を行う。具体的には、ＶＣＣ４０は、図１に示したように、セッション１を変更せずに、セッション３をセッション２に切り替える（Ｃ−ＰＬＡＮＥの切替処理）。
【０１４１】
ステップ７２において、ＣＳＣＦ３０は、ＣＳドメイン２００内においてユーザ端末１０ａとＩＡＳＡ５０との間で設定されたＵ−ＰＬＡＮＥの有効化を指示する切替指示をＩＡＳＡ５０に送信する。
【０１４２】
ここで、ＩＡＳＡ５０は、記憶部５３に記憶された「サービス種別」欄を参照して、ユーザ端末１０ｂが送信するユーザの通信情報の種別を取得する。また、ＩＡＳＡ５０は、記憶部５３から取得されたユーザの通信情報の種別に基づいて、ユーザの通信情報の宛先情報の変更が必要であるか否かを判定する。
【０１４３】
続いて、ＩＡＳＡ５０は、宛先情報の変更が必要であると判定された場合には、記憶部５３に記憶された「接続状態」欄を更新して、有効化されたホストアドレスをＷＬＡＮ用ホストアドレスからＣＳ用ホストアドレスに切り替える。
【０１４４】
ステップ７３において、ＷＬＡＮドメイン１００で設定されたＳＩＰセッション（Ｃ−ＰＬＡＮＥ）が解放される。
【０１４５】
ステップ７４において、ユーザ端末１０ａとＰＤＧ１１０との間で設定された無線接続が切断される。
【０１４６】
ステップ７５において、ＣＳＣＦ３０は、ＷＬＡＮドメイン１００内においてユーザ端末１０ａとＩＡＳＡ５０との間で設定されたＵ−ＰＬＡＮＥの解放を指示する解放指示をＩＡＳＡ５０に送信する。
【０１４７】
ステップ７６において、ＰＤＧ１１０は、ＷＬＡＮドメイン１００内においてユーザ端末１０ａとＩＡＳＡ５０との間で設定されたＵ−ＰＬＡＮＥの解放を要求するメッセージ（Ｐａｔｈ  Ｒｅｌｅａｓｅ  Ｒｅｑｕｅｓｔ）をＩＡＳＡ５０に送信する。
【０１４８】
ステップ７７において、ＩＡＳＡ５０は、ＷＬＡＮドメイン１００で設定されたＵ−ＰＬＡＮＥを解放したことを示すメッセージ（Ｐａｔｈ  ＲｅｌｅａｓｅＲｅｓｐｏｎｓｅ）をＰＤＧ１１０に送信する。
【０１４９】
このように、ユーザ端末１０ａが接続するネットワークドメインがＷＬＡＮドメイン１００からＣＳドメイン２００に切り替えられる場合であっても、ユーザの通信情報の宛先情報としてルーティングアドレスをユーザ端末１０ｂが用いるため、ユーザ端末１０ｂが関知せずに、ユーザ端末１０ａが接続するネットワークドメインが切り替えられる。
【０１５０】
なお、図５〜図１０では、ユーザ端末１０ａが正当であることが認証された場合（すなわち、認証が成功した場合）について説明したが、これに限定されるものではない。具体的には、ユーザ端末１０ａが正当であることが認証されなかった場合（すなわち、認証が失敗した場合）には、認証失敗などが各装置に通知されてもよいことは勿論である。
【０１５１】
（作用及び効果）
本発明の一実施形態に係るＩＡＳＡ５０によれば、ＩＡＳＡ５０がＵ−ＰＬＡＮＥを識別するルーティングアドレスをＵ−ＰＬＡＮＥに割り当てて、ユーザ端末１０ｂがルーティングアドレスを宛先情報としてユーザの通信情報を送信することによって、ユーザ端末１０ａが接続するネットワークドメインが切り替えられた場合であっても、ユーザ端末１０ａが接続するネットワークドメイン内で宛先情報として用いられるホストアドレスをユーザ端末１０ｂに通知する必要がなくなる。従って、ユーザ端末１０ａが接続するネットワークドメインの切り替え時間の短縮を図るとともに、“Ｌｏｃａｔｉｏｎ  Ｐｒｉｖａｃｙ”を確保することができる。
【０１５２】
すなわち、ユーザ端末１０ａのホストアドレスをユーザ端末１０ｂに通知する必要がなく、ユーザ端末１０ａが接続するネットワークドメインの切替制御にユーザ端末１０ｂが関与しないため、ユーザ端末１０ａが接続するネットワークドメインの切り替え時間の短縮を図るとともに、“Ｌｏｃａｔｉｏｎ  Ｐｒｉｖａｃｙ”を確保することができる。
【０１５３】
具体的には、ＩＡＳＡ５０が、ルーティングアドレスとホストアドレスとを対応付けて記憶しており、ルーティングアドレスが宛先情報として用いられたユーザの通信情報を受信した場合に、ルーティングアドレスからホストアドレスに宛先情報を書き換えて、ユーザの通信情報をユーザ端末１０ａに送信する。
【０１５４】
従って、ユーザ端末１０ａが接続するネットワークドメインが切り替えられた場合であっても、ユーザ端末１０ａのホストアドレスをユーザ端末１０ｂに通知する必要がなく、ユーザ端末１０ａが接続するネットワークドメインの切り替え時間の短縮を図ることができる。
【０１５５】
また、ユーザ端末１０ａのホストアドレスをユーザ端末１０ｂに通知する必要がないため、ユーザ端末１０ａの位置などをホストアドレスによってユーザ端末１０ｂが推測することができない。すなわち、ユーザ端末１０ａの位置などについて秘匿性を持たせることができる。
【０１５６】
［その他の実施形態］
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【０１５７】
例えば、上述した実施形態では特に触れていないが、ユーザ端末１０ａが在圏するエリアは、ホームエリアであっても、訪問先エリアであってもよい。なお、ユーザ端末１０ａが訪問先エリアに在圏する場合には、訪問先エリア内に含まれる装置（例えば、ｖＰＣＲＦ）がルーティングアドレスを割り当て、ホームエリアに含まれる装置（例えば、ｖＰＣＲＦ）がホストアドレスを割り当てることが好ましい。
【０１５８】
また、上述した実施形態では、ＷＬＡＮドメイン１００及びＣＳドメイン２００をネットワークドメインの例として挙げたが、本発明の実施形態は、ホストアドレスが異なる複数のネットワークドメインについて適用可能である。
【０１５９】
さらに、上述した実施形態では特に触れていないが、音声情報の通信及びデータ情報の通信がユーザの通信情報の通信として同時に行われるマルチコールでは、複数のＩＡＳＡ５０がサービス種別に応じて設けられていてもよい。
【０１６０】
このケースにおいて、音声情報の通信に対応するＩＡＳＡ５０は、ユーザ端末１０ａが接続するネットワークドメインのホストアドレスにルーティングアドレスを書き換えて、ユーザ端末１０ｂが送信するユーザの通信情報（音声情報）を転送する。一方で、データ情報に対応するＩＡＳＡ５０は、ユーザ端末１０ａが接続するネットワークドメインのホストアドレスにルーティングアドレスを書き換えずに、ユーザ端末１０ｂが送信するユーザの通信情報（データ情報）を転送する。
【０１６１】
また、上述した実施形態では特に触れていないが、ＩＡＳＡ５０は、ホストアドレスが異なる３つ以上のネットワークドメインに跨って、Ｕ−ＰＬＡＮＥの切替制御を行ってもよい。
【０１６２】
さらに、上述した実施形態では、ＩＡＳＡ５０は、ＳＩＰメッセージ（ＩＮＶＩＴＥ）がトリガーとなって、ルーティングアドレスを割り当てるが、これに限定されるものではない。例えば、ユーザの通信情報がデータ情報である場合には、ＩＡＳＡ５０は、ＰＤＰコンテキストの活性化を要求するメッセージ（ＰＤＰ  Ｃｏｎｔｅｘｔ  Ａｃｔｉｖａｔｉｏｎ）をトリガーとして、ルーティングアドレスを割り当ててもよい。
【０１６３】
また、上述した実施形態では、ルーティングアドレスは、ＳＩＰメッセージ（ＩＮＶＩＴＥ）の送信元情報としてユーザ端末１０ｂに通知されるが、これに限定されるものではなく、他のメッセージによって通知されてもよいことは勿論である。
【図面の簡単な説明】
【０１６４】
【図１】本発明の一実施形態に係る通信システムの構成を示す概略図である。
【図２】本発明の一実施形態に係るユーザ端末１０の構成を示すブロック図である。
【図３】本発明の一実施形態に係るＩＡＳＡ５０の構成を示すブロック図である。
【図４】本発明の一実施形態に係る記憶部５３に記憶された情報を示す図である。
【図５】本発明の一実施形態に係る通信システムの動作を示すシーケンス図である。
【図６】本発明の一実施形態に係る通信システムの動作を示すシーケンス図である。
【図７】本発明の一実施形態に係る通信システムの動作を示すシーケンス図である。
【図８】本発明の一実施形態に係る通信システムの動作を示すシーケンス図である。
【図９】本発明の一実施形態に係る通信システムの動作を示すシーケンス図である。
【図１０】本発明の一実施形態に係る通信システムの動作を示すシーケンス図である。
【符号の説明】
【０１６５】
１０・・・ユーザ端末、１１・・・通信部、１２・・・ＩＳＩＭ、１３・・・ＵＳＩＭ、３０・・・ＣＳＣＦ、４０・・・ＶＣＣ、５０・・・ＩＡＳＡ、５１・・・通信部、５２・・・アドレス割当部、５３・・・記憶部、５４・・・制御部、５５・・・Ｕ−ＰＬＡＮＥ切替部、１００・・・ＷＬＡＮドメイン、１１０・・・ＰＤＧ、２００・・・ＣＳドメイン、２１０・・・ＭＳＣ/ＶＬＲ、２２０・・・ＭＧＣＦ、２３０・・・ＭＧＷ、２４０・・・加入者サーバ
【図１】
2008028663.tif 000003
【図２】
2008028663.tif 000004
【図３】
2008028663.tif 000005
【図４】
2008028663.tif 000006
【図５】
2008028663.tif 000007
【図６】
2008028663.tif 000008
【図７】
2008028663.tif 000009
【図８】
2008028663.tif 000010
【図９】
2008028663.tif 000011
【図１０】
2008028663.tif 000012